(57)【特許請求の範囲】
【請求項１】
基板上に配置した複数の走査電極及び複数の情報電極と、これらの電極の交差部に配置されて、単色を表示するサブ画素を構成するカラーフィルタとを備え、前記サブ画素を縦横に複数並べて配置し、隣接された複数のサブ画素を一組として画素を構成して、これらの隣接されたサブ画素の組み合わせにより多色表示を行うカラー表示装置において、
隣接される３本の走査電極を第１乃至第３の走査電極とした場合において、
前記第１の走査電極に沿って第１色及び第２色のカラーフィルターを交互に配置し、
前記第２の走査電極に沿って第３色及び第１色のカラーフィルターを交互に配置し、
前記第３の走査電極に沿って第２色及び第３色のカラーフィルターを交互に配置し、かつ、
前記第１の走査電極に沿って配置された第１色及び第２色のカラーフィルターと前記第２の走査電極に沿って配置された第３色のカラーフィルターとによって１つの画素を構成すると共に、該第２の走査電極に沿って配置された第１色のカラーフィルターと前記第３の走査電極に沿って配置された第２色及び第３色のカラーフィルターとによって１つの画素を構成する、
ことを特徴とするカラー表示装置。
【請求項２】
基板上に配置した複数の走査電極及び複数の情報電極と、これらの電極の交差部に配置されて、単色を表示するサブ画素を構成するカラーフィルタとを備え、前記サブ画素を縦横に複数並べて配置し、隣接された複数のサブ画素を一組として画素を構成して、これらの隣接されたサブ画素の組み合わせにより多色表示を行うカラー表示装置において、
隣接される３本の走査電極を第１乃至第３の走査電極とした場合において、
前記第１の走査電極に沿って第１色及び第２色のカラーフィルターを交互に配置し、
前記第２の走査電極に沿って第３色のカラーフィルターを複数配置し、
前記第３の走査電極に沿って第１色及び第２色のカラーフィルターを交互に配置し、かつ、
前記第１の走査電極に沿って配置された第１色及び第２色のカラーフィルターと前記第２の走査電極に沿って配置された第３色のカラーフィルター、該第２の走査電極に沿って配置された第３色のカラーフィルターと前記第３の走査電極に沿って配置された第１色及び第２色のカラーフィルター、とによってそれぞれ１つの画素を構成する、
ことを特徴とするカラー表示装置。
【請求項３】
基板上に配置した複数の走査電極及び複数の情報電極と、これらの電極の交差部に配置されて、単色を表示するサブ画素を構成するカラーフィルタとを備え、前記サブ画素を縦横に複数並べて配置し、隣接された複数のサブ画素を一組として画素を構成して、これらの隣接されたサブ画素の組み合わせにより多色表示を行うカラー表示装置において、
隣接される３列の内の第１列を、第１色及び第２色のサブ画素を交互に配置して構成し、
第３色のサブ画素を複数配置して第２列を構成し、
第１色及び第２色のサブ画素を交互に配置して第３列を構成し、かつ、
前記第１列における第１色及び第２色のサブ画素と前記第２列における第３色のサブ画素、並びに前記第２列における第３色のサブ画素と前記第３列における第１色及び第２色のサブ画素、とによってそれぞれ１つの画素を構成する、
ことを特徴とするカラー表示装置。
【請求項４】
前記カラーフィルターが、ＲＧＢ３色のカラーフィルターからなる、
ことを特徴とする請求項１乃至３のいずれか１項に記載のカラー表示装置。
【発明の詳細な説明】
【０００１】
【発明の属する技術分野】
本発明は、隣接されたサブ画素の組み合わせにより多色表示を行うカラー表示装置に関する。
【０００２】
【従来の技術】
従来より、カラー表示装置としては、液晶素子（液晶パネル）にカラーフィルターを配置したものや、自発光型ＬＥＤを用いたものが種々使用されている。
【０００３】
図１は、従来の液晶パネルの構造の一例を示す断面図であるが、この液晶パネルＰ1 は、相対向するように配置された一対の基板１ａ，１ｂを備えており、これらの基板１ａ，１ｂはシール材２によって貼り合わされて、その内部間隙には液晶３が挟持されている。
【０００４】
そして、一方の基板１ａの表面には、ストライプ状の走査電極９ａが多数形成されており、これらの走査電極９ａは、絶縁膜１０ａや配向膜１１ａによって被覆されている。
【０００５】
また、他方の基板１ｂの表面には、Ｒ（Ｒｅｄ）色，Ｇ（Ｇｒｅｅｎ）色，Ｂ（Ｂｌｕｅ）色の３色のカラーフィルター６が横一列に順に並べて配置されており、これらのカラーフィルター６は保護膜７によって被覆されている。そして、保護膜７の表面にはストライプ状の情報電極９ｂが多数形成されており、これらの情報電極９ｂは、絶縁膜１０ｂや配向膜１１ｂによって被覆されている。
【０００６】
本明細書においては便宜上“Ｒ，Ｇ，Ｂ”を多用するが、色を意味する場合には“Ｒ色”，“Ｇ色”，“Ｂ色”とし、サブ画素の符号として用いる場合には単に“Ｒ，Ｇ，Ｂ”とし、カラーフィルターを色別で表現する場合には“６Ｒ”，“６Ｇ”，“６Ｂ”とする。
【０００７】
なお、上述した走査電極９ａ並びに情報電極９ｂは互いに交差してマトリクス電極を形成するように配置されていると共に、カラーフィルター６はその交差部に配置されており、これらによってサブ画素Ｒ，Ｇ，Ｂが構成されている。
【０００８】
図２(a) は、サブ画素Ｒ，Ｇ，Ｂ、走査電極９ａ並びに情報電極９ｂの配置状態を示す模式図であるが、図より明らかなように、１本の走査電極９ａに沿って３つのサブ画素Ｒ，Ｇ，Ｂが順に配置されており、これら３つのサブ画素Ｒ，Ｇ，Ｂによって１つの画素（１ｐｉｘｅｌ）が構成されている（図２(b) 参照）。また、走査電極９ａ並びに情報電極９ｂには、ＴＣＰ（Ｔａｐｅ  Ｃａｒｒｉｅｒ  Ｐａｃｋａｇｅ）方式による実装やベアチップ実装が施されて駆動信号が印加されるように構成されており、各色を呈するサブ画素Ｒ，Ｇ，ＢのＯＮ／ＯＦＦの組み合わせによって多色表示を行うようになっている。
【０００９】
なお、図２に示したものは、各サブ画素Ｒ，Ｇ，Ｂが縦長の長方形状に形成されると共に、画素（１ｐｉｘｅｌ）がほぼ正方形状となるように構成されているが、図１１に示すように、各サブ画素Ｒ，Ｇ，Ｂが正方形状に形成されたものもある。
【００１０】
また、図１２に示すように４つのサブ画素Ｇ，Ｇ，Ｒ，Ｂを配置したものや、図１３に示すように４つのサブ画素Ｒ，Ｇ，Ｂ，Ｗ（白）を配置したもの（カルテット配置型）もある。そして、図１２及び図１３に示す画素配置のものは、縦横のバランスが良く、見かけ上の解像度を上げることができる。また、図１３に示す画素配置のものは、サブ画素Ｗの透過率が良いことから、表示の輝度を上げることができる。
【００１１】
ところで、このような液晶パネルにおける表示密度は、従来は８０〜１００ｄｐｉが一般的であったが、日本語（特に漢字）を鮮明に表示したり、ＣＡＤにおいて微細なグラフィックを表現したりするにはもっと高い表示密度が要望されている。
【００１２】
次に、液晶パネルの表示密度をどの程度まで高くするのが好ましいかを、図３を参照して説明する。
【００１３】
図３は、視覚解像度（輪郭をトレースする能力）を示す図、すなわち、テキストや図形や写真などの画像を表示した場合における解像度（表示密度）と応答値との関係を示す図である。また、応答値とは、高ければ、画像中の１つ１つのドットがドットとして認識され、低ければ、連続性のある画像として認識されることを示す値である。さらに、図中の実線は、紙等の反射型の被観察物に表した画像を２５ｃｍの明視距離で観察した場合についてのものである。この実線より、反射型の被観察物においては、１００ｄｐｉ程度の表示密度で応答値が最大値を取って１つ１つのドットが最もはっきりと認識され、表示密度が１００ｄｐｉより大きくなれば応答値が低下してドットが認識されにくくなり、さらに３００ｄｐｉ以上では応答値が急激に低下してドットがほとんど認識されないこと、すなわち、画像が連続性のある画像として認識されるためには表示密度を３００ｄｐｉ以上にする必要があることが理解できる。このような点を考慮して、市販のプリンタやディジタル複写機においては、３００ｄｐｉ〜６００ｄｐｉ（特殊用途のものにおいては６００ｄｐｉ〜１０００ｄｐｉ）の表示密度に設定されている。
【００１４】
ところで、液晶パネルのような透過型の被観察物の場合も、表示密度と応答値との関係はほぼ同様となるが、パソコンやワークステーション等にモニターとして用いられる液晶パネルの場合の明視距離は通常３０〜５０ｃｍであることから、図中の破線のように、実線よりも低解像度側へ寄った（シフトした）ものとなることが予想できる。
【００１５】
この破線を考慮すると、液晶パネルの表示密度としては３００ｄｐｉ程度が好ましく、高精度のもので６００ｄｐｉ程度が好ましいと思われる。
【００１６】
【発明が解決しようとする課題】
ところで、液晶パネルにおいて表示密度を高めるには画素ピッチを小さくすれば良く、画素ピッチを小さくするには電極ピッチを小さくすれば良い。しかし、ＴＣＰ方式による実装やベアチップ実装を行う必要から電極ピッチは所定長さ以上でなければならず、表示密度を高めるには限界があった。
【００１７】
例えば、ＴＣＰ方式のドライバＩＣを配置するには電極ピッチが約６０μｍよりも大きくなければならないため、図２や図１１に示すように３つのサブ画素Ｒ，Ｇ，Ｂを一列に並べる構造のものでは、その３倍、すなわち、１８０μｍが画素ピッチの最小値となる。この画素ピッチから表示密度を計算すると約１４０ｄｐｉが表示密度の上限であることが分かる。また、ベアチップ実装の場合には電極ピッチは６０μｍよりも小さくて済むが、それでも表示密度を高めるには限界があった。
【００１８】
また、図１２や図１３に示すようなカルテット配置型とした場合には、画素ピッチは１２０μｍ程度で図２に示すものよりも小さくなるが、それでも不十分であった。さらに、図１３に示すものの場合には、三原色の３つのサブ画素Ｒ，Ｇ，Ｂの他に、サブ画素Ｇやサブ画素Ｗを用いているため、色純度が悪くなるという問題があった。
【００１９】
なお、表示密度を高める方法として、いわゆる両側実装（液晶パネルにおける一対の平行な端縁の両方にドライバＩＣを配置する方法）があるが、この方法を用いても表示密度は２倍程度にしかならない。
【００２０】
一方、走査電極９ａに沿った方向に配置された画素の数をＸとし、情報電極９ｂに沿った方向に配置された画素の数をＹとすると、情報電極９ｂの総本数は３Ｘで走査電極９ａの総本数はＹとなり、ドライバＩＣのチャンネルは、走査電極９ａ及び情報電極９ｂの総本数Ｎ0 （Ｎ0 ＝３Ｘ＋Ｙ）と同数だけ必要となるが、製造コスト及び製品コストの低減のためには該総本数Ｎ0 を低くすることが望まれる。
【００２１】
因に、上記従来構造のものにおける走査電極及び情報電極の総本数Ｎ0 は、
▲１▼  ＳＶＧＡの場合には、８００×３＋６００＝３０００本であり、
▲２▼  ＳＸＧＡの場合には、１２８０×３＋１０２４＝４８６４本であり、
▲３▼  対角１５インチで縦横比が４：３（縦寸法が１２インチ、横寸法が９インチ）の液晶パネルであって、表示密度が３００ｄｐｉの場合には、
｛（１２×３００）×３｝＋（９×３００）＝１３５００本
となる。
【００２２】
そこで、本発明は、高い表示密度を実現できるカラー表示装置を提供することを目的とするものである。
【００２３】
また、本発明は、製品コスト並びに製造コストの増加を防止し、色純度が良く色調ムラが低減されたカラー表示装置を提供することを目的とするものである。
【００２４】
【課題を解決するための手段】
本発明は上記事情を考慮してなされたものであり、基板上に配置した複数の走査電極及び複数の情報電極と、これらの電極の交差部に配置されて、単色を表示するサブ画素を構成するカラーフィルタとを備え、前記サブ画素を縦横に複数並べて配置し、隣接された複数のサブ画素を一組として画素を構成して、これらの隣接されたサブ画素の組み合わせにより多色表示を行うカラー表示装置において、
隣接される３本の走査電極を第１乃至第３の走査電極とした場合において、
前記第１の走査電極に沿って第１色及び第２色のカラーフィルターを交互に配置し、
前記第２の走査電極に沿って第３色及び第１色のカラーフィルターを交互に配置し、
前記第３の走査電極に沿って第２色及び第３色のカラーフィルターを交互に配置し、かつ、
前記第１の走査電極に沿って配置された第１色及び第２色のカラーフィルターと前記第２の走査電極に沿って配置された第３色のカラーフィルターとによって１つの画素を構成すると共に、該第２の走査電極に沿って配置された第１色のカラーフィルターと前記第３の走査電極に沿って配置された第２色及び第３色のカラーフィルターとによって１つの画素を構成する、ことを特徴とする。
【００２６】
また、基板上に配置した複数の走査電極及び複数の情報電極と、これらの電極の交差部に配置されて、単色を表示するサブ画素を構成するカラーフィルタとを備え、前記サブ画素を縦横に複数並べて配置し、隣接された複数のサブ画素を一組として画素を構成して、これらの隣接されたサブ画素の組み合わせにより多色表示を行うカラー表示装置において、
隣接される３本の走査電極を第１乃至第３の走査電極とした場合において、
前記第１の走査電極に沿って第１色及び第２色のカラーフィルターを交互に配置し、
前記第２の走査電極に沿って第３色のカラーフィルターを複数配置し、
前記第３の走査電極に沿って第１色及び第２色のカラーフィルターを交互に配置し、かつ、
前記第１の走査電極に沿って配置された第１色及び第２色のカラーフィルターと前記第２の走査電極に沿って配置された第３色のカラーフィルター、該第２の走査電極に沿って配置された第３色のカラーフィルターと前記第３の走査電極に沿って配置された第１色及び第２色のカラーフィルター、とによってそれぞれ１つの画素を構成する、ことを特徴とする。
【００２７】
さらに、基板上に配置した複数の走査電極及び複数の情報電極と、これらの電極の交差部に配置されて、単色を表示するサブ画素を構成するカラーフィルタとを備え、前記サブ画素を縦横に複数並べて配置し、隣接された複数のサブ画素を一組として画素を構成して、これらの隣接されたサブ画素の組み合わせにより多色表示を行うカラー表示装置において、
隣接される３列の内の第１列を、第１色及び第２色のサブ画素を交互に配置して構成し、
第３色のサブ画素を複数配置して第２列を構成し、
第１色及び第２色のサブ画素を交互に配置して第３列を構成し、かつ、
前記第１列における第１色及び第２色のサブ画素と前記第２列における第３色のサブ画素、並びに前記第２列における第３色のサブ画素と前記第３列における第１色及び第２色のサブ画素、とによってそれぞれ１つの画素を構成する、ことを特徴とする。
【００３１】
【発明の実施の形態】
以下、図４乃至図１８及び図２４乃至図２６を参照して、本発明の実施の形態について説明する。なお、図１に示すものと同一部分は同一符号を付して説明を省略する。
【００３２】
本実施の形態に係るカラー表示装置Ｐ2 は、例えば図５(a) 及び(b) に示すように、種々の単色を表示するサブ画素Ｒ，Ｇ，Ｂを縦横に複数並べて配置し、隣接された複数のサブ画素を一組として画素（１ｐｉｘｅｌ）を構成して、これらの隣接されたサブ画素の点灯／非点灯の組み合わせにより多色表示を行うようになっている。また、縦方向又は横方向に配置されたサブ画素の総数を同方向に配置された画素（ｐｉｘｅｌ）の総数で除した値ｎが、
【００３３】
【式１】
１  ＜  ｎ  ＜  ｋ
但し、ｋはサブ画素の色数
なる関係を満たす、ようになっている。
【００３４】
このようなカラー表示装置Ｐ2 は、自発光型のカラーＬＥＤによって構成しても良く、液晶パネルによって構成しても良い。
【００３５】
カラー表示装置Ｐ2 を液晶パネルによって構成する場合には、図４に示すように、相対向するように配置された一対の基材１ａ，１ｂと、これら一対の基材１ａ，１ｂに挟持された液晶３と、互いに交差するように前記一対の基材１ａ，１ｂの間に配置された複数の走査電極９ａ及び複数の情報電極９ｂと、これらの電極９ａ，９ｂの交差部にそれぞれ配置されて前記サブ画素Ｒ，Ｇ，Ｂを構成する複数のカラーフィルター６と、によって構成しても良い。この場合、所定数の交差部（サブ画素Ｒ，Ｇ，Ｂ）を一組として画素（１ｐｉｘｅｌ）が形成され、この画素（１ｐｉｘｅｌ）によって多色表示が行われる。そして、前記ｎの値は、情報電極９ｂの総本数を走査電極９ａに沿った方向に配置された画素の数（後述するＸ）で除した値となる。また、上記ｋの値は、カラーフィルターの色数となる。
【００３６】
この場合、前記走査電極９ａが、前記一対の基材のうちの一方の基材１ａに形成され、かつ、前記情報電極９ｂが他方の基材１ｂに形成された、ようにしてもよい。
【００３７】
次に、本発明のカラー表示装置の別の実施の形態を以下に説明する。
【００３８】
図２５は、本発明のカラー表示装置の一実施の形態の構成を模式的に示す平面図である。図中の符号１０１は画素電極、符号１０２はＴＦＴ（薄膜トランジスタ）、符号１０３は走査信号線、符号１０４は情報信号線、符号１０５は走査信号印加回路、符号１０６は情報信号印加回路である。本実施の形態は、本発明の好ましい構成例であり、画素毎にアクティブ素子を備えたアクティブマトリクス型の装置である。本実施の形態においては、図２５に示すように、複数の画素電極１０１をマトリクス状に配置し、各画素電極１０１毎に配置したＴＦＴ１０２のゲート電極を走査信号線１０３に、ソース電極を情報信号線１０４にそれぞれマトリクス配線し、各走査信号線１０３には走査信号印加回路１０５より順次走査選択信号（ＴＦＴ１０２のオン信号）を印加し、該走査選択信号と同期して情報信号印加回路１０６より所定の階調情報を持った情報信号を印加して選択されたラインの画素電極１０１に書き込み、所定の電圧を液晶層に印加して表示を行う。
【００３９】
図２６は、本発明に係るカラー表示装置の一画素の構成例を模式的に示す断面図である。図中の符号１１１は基板、符号１１２はゲート電極、符号１１３はゲート絶縁膜、符号１１４は半導体層、符号１１５はオーミックコンタクト層、符号１１６は絶縁層、符号１１７はソース電極、符号１１８はドレイン電極、符号１１９はパッシベーション膜、符号１２０は保持容量電極、符号１２１は配向膜、符号１２２は基板、符号１２３は共通電極、符号１２４は配向膜、符号１２５は液晶である。
【００４０】
図２６の液晶素子において、透過型の場合には基板１１１には通常ガラスやプラスチック等の透明性を有する基板が用いられ、反射型の場合にはシリコン基板など不透明な基板が用いられる場合もある。画素電極１０１及び共通電極１２３は、透過型の場合にはいずれもＩＴＯ等透明導電材が用いられるが、反射型の場合には、画素電極１０１を反射性の高い金属で形成して反射板を兼ねる場合もある。半導体層１１４としては、一般にアモルファス（ａ−）Ｓｉが用いられ、その他、多結晶（ｐ−）Ｓｉも好ましく用いられる。さらに、オーミックコンタクト層１１５としては、例えば、ｎ+ ａ−Ｓｉ層などが用いられる。ゲート絶縁膜１１３としては、窒化シリコン（ＳｉＮX ）等が用いられる。さらに、ゲート電極１１２、ソース電極１１７、ドレイン電極１１８、保持容量電極１２０、配線等には一般にＡｌ等の金属が用いられる。保持容量電極１２０については、面積が広い場合には、ＩＴＯ等の透明導電材を用いる場合もある。絶縁層１１６及びパッシベーション膜１１９には窒化シリコン等の絶縁膜が好ましく用いられる。また、配向膜１２１，１２４としては、用いる液晶やモードによって適宜選択されるが、例えばスメクチック液晶の水平配向にはポリイミドやポリアミド等の高分子膜をラビングして用いる。
【００４１】
液晶としては、自発分極を有するスメクチック液晶、例えば閾値のない反強誘電性液晶（ＴＡＦＬＣ）を用いて、良好に階調表示を行うことができる。ＴＡＦＬＣは、印加電圧の変化に対して連続的に透過率が変化し、明確な閾値を有していない反強誘電性液晶である。従って、液晶への印加電圧を制御することによって透過率を連続的に変化させることができる。
【００４２】
また、その他にもネマチック液晶をＯＣＢモードで用いることができる。ＯＣＢモードは、基板との界面において液晶分子がプレチルト角を有し、液晶層の基板の法線方向の中央部における液晶分子が該法線方向に平行である、ベンド配向状態をとるモードである。ＯＣＢモードにおいては、上下基板に水平配向膜を形成し、互いのラビング方向が平行或いはほぼ平行になるように配置することによって、液晶分子に、基板との界面においてプレチルト角を有しかつ上記ラビング方向（ラビング方向が上下基板で交差する場合には平均ラビング方向）に平行に配置したスプレイ配向をとらせる。この状態で所定のベンド電圧を液晶層に印加すると、液晶層の基板法線方向中央部の液晶分子が該法線に平行に配向し、順次基板に近づくにつれて該基板との界面に位置する液晶分子のプレチルト角に近づくベンド配向を取る。このベンド配向は上記ベンド電圧よりも低い保持電圧によって維持することができ、該保持電圧よりも高い所定の電圧を液晶層に印加すると基板との界面付近を除く液晶層の大部分で液晶分子が基板法線方向に平行に配向する。該配向とベンド配向との間の応答時間は速く、かつ中間状態も取り得るため、保持電圧を低電圧側として印加電圧を変化させることによって階調表示を行うことができる。
【００４３】
本発明においては、上記ＯＣＢモードの他にも、従来のＴＮモードや、３状態安定性を示す反強誘電性液晶、ＤＨＦ（Ｄｅｆｏｒｍｅｄ  Ｈｅｌｉｘ  Ｆｅｒｒｏｅｌｅｃｔｒｉｃ）液晶等を適宜用いることができる。
【００４４】
上記実施の形態においては、アクティブ素子としてＴＦＴを用いたが、ＭＩＭ等の２端子素子を用いることも可能である。
【００４５】
また、サブ画素Ｒ，Ｇ，Ｂの色数を３とし、前記ｎの値が、
【００４６】
【式２】
１  ＜  ｎ  ＜  ３
なる関係を満たすようにしてもよい。
【００４７】
この場合、カラーフィルター６が、ＲＧＢ３色のカラーフィルターからなる、ようにしてもよい。
【００４８】
具体的には、図５乃至図９に示すようにサブ画素Ｒ，Ｇ，Ｂを配置すれば良い。
【００４９】
ここで、図５はｎ＝２のときの具体例を示すもので、隣接される３本の走査電極（第１の走査電極９ａn 、第２の走査電極９ａn+1 、第３の走査電極９ａn+2 ）において、第１の走査電極９ａn に沿って第１色及び第２色のカラーフィルター６Ｒ，６Ｇを交互に配置し、第２の走査電極９ａn+1 に沿って第３色及び第１色のカラーフィルター６Ｂ，６Ｒを交互に配置し、第３の走査電極９ａn+2 に沿って第２色及び第３色のカラーフィルター６Ｇ，６Ｂを交互に配置し、かつ、第１の走査電極９ａn に沿って配置された第１色及び第２色のカラーフィルター６Ｒ，６Ｇと第２の走査電極９ａn+1 に沿って配置された第３色のカラーフィルター６Ｂとによって１つの画素（１ｐｉｘｅｌ）を構成すると共に、第２の走査電極９ａn+1 に沿って配置された第１色のカラーフィルター６Ｒと第３の走査電極９ａn+2 に沿って配置された第２色及び第３色のカラーフィルター６Ｇ，６Ｂとによって１つの画素（１ｐｉｘｅｌ）を構成するものである。
【００５０】
また、図６はｎ＝３／２のときの具体例を示すもので、隣接される２本の走査電極（第１の走査電極９ａn 、第２の走査電極９ａn+1 ）において、第１の走査電極９ａn に沿って第１色乃至第３色のカラーフィルター６Ｒ，６Ｇ，６Ｂを順に配置し、第２の走査電極９ａn+1 に沿って第１色乃至第３色のカラーフィルター６Ｒ，６Ｇ，６Ｂを順に配置し、第２の走査電極９ａn+1 に沿って配置された第３色のカラーフィルター６Ｂを、第１の走査電極９ａn に沿って配置された第１色又は第２色のカラーフィルター６Ｒ，６Ｇに隣接させ、かつ、第１の走査電極９ａn に沿って配置された第１色及び第２色のカラーフィルター６Ｒ，６Ｇと第２の走査電極９ａn+1 に沿って配置された第３色のカラーフィルター６Ｂとによって１つの画素（１ｐｉｘｅｌ）を構成すると共に、第１の走査電極９ａn に沿って配置された第３色のカラーフィルター６Ｒと第２の走査電極９ａn+1 に沿って配置された第１色及び第２色のカラーフィルター６Ｒ，６Ｇとによって１つの画素（１ｐｉｘｅｌ）を構成するものである。
【００５１】
さらに、図７は、ｎ＝２のときの具体例を示すもので、隣接される２本の走査電極（第１の走査電極９ａn 、第２の走査電極９ａn+1 ）において、第１の走査電極９ａn に沿って第１色及び第２色のカラーフィルター６Ｒ，６Ｇを交互に配置し、第２の走査電極９ａn+1 に沿って第３色のカラーフィルター６Ｂを配置し、これら第１色及び第２色のカラーフィルター６Ｒ，６Ｇと２つの第３色のカラーフィルター６Ｂとによって１つの画素（１ｐｉｘｅｌ）を構成するものである。
【００５２】
またさらに、図８はｎ＝２のときの具体例を示すもので、隣接される３本の走査電極（第１の走査電極９ａn 、第２の走査電極９ａn+1 、第３の走査電極９ａn+2 ）において、３色のカラーフィルター６Ｒ，６Ｇ，６Ｂを、
＊  各走査電極９ａn ，９ａn+1 ，９ａn+2 に沿った方向においても第１色乃至第３色の順序となるように、
＊  各情報電極９ｂn ，９ｂn+1 ，９ｂn+2 ，９ｂn+3 に沿った方向においても
第１色乃至第３色の順序となるように、
配置して、同色のカラーフィルターが対角線の方向に斜めに配置されるように構成されている。
【００５３】
そして、
＊  第１の走査電極９ａn に沿って配置された第１色及び第２色のカラーフィルター６Ｒ，６Ｇと第２の走査電極９ａn+1 に沿って配置された第３色のカラーフィルター６Ｂ、
＊  第１の走査電極９ａn に沿って配置された第３色及び第１色のカラーフィルター６Ｂ，６Ｒと第２の走査電極９ａn+1 に沿って配置された第２色のカラーフィルター６Ｇ、
＊  第１の走査電極９ａn に沿って配置された第２色及び第３色のカラーフィルター６Ｇ，６Ｂと第２の走査電極９ａn+1 に沿って配置された第１色のカラーフィルター６Ｒ、
＊  第２の走査電極９ａn+1 に沿って配置された第３色のカラーフィルター６Ｂと第３の走査電極９ａn+2 に沿って配置された第１色及び第２色のカラーフィルター６Ｒ，６Ｇ、
＊  第２の走査電極９ａn+1 に沿って配置された第２色のカラーフィルター６Ｇと第３の走査電極９ａn+2 に沿って配置された第３色及び第１色のカラーフィルター６Ｂ，６Ｒ、
＊  第２の走査電極９ａn+1 に沿って配置された第１色のカラーフィルター６Ｒと第３の走査電極９ａn+2 に沿って配置された第２色及び第３色のカラーフィルター６Ｇ，６Ｂ、
がそれぞれ１つの画素（１ｐｉｘｅｌ）を構成するものである。
【００５４】
また、図９はｎ＝２のときの具体例を示すもので、隣接される３本の走査電極（第１の走査電極９ａn 、第２の走査電極９ａn+1 、第３の走査電極９ａn+2 ）において、第１の走査電極９ａn に沿って第１色及び第２色のカラーフィルター６Ｒ，６Ｇを交互に配置し、第２の走査電極９ａn+1 に沿って第３色のカラーフィルター６Ｂを複数配置し、第３の走査電極９ａn+2 に沿って第１色及び第２色のカラーフィルター６Ｒ，６Ｇを交互に配置し、かつ、
＊  第１の走査電極９ａn に沿って配置された第１色及び第２色のカラーフィルター６Ｒ，６Ｇと第２の走査電極９ａn+1 に沿って配置された第３色のカラーフィルター６Ｂ、
＊  第２の走査電極９ａn+1 に沿って配置された第３色のカラーフィルター６Ｂと第３の走査電極９ａn+2 に沿って配置された第１色及び第２色のカラーフィルター６Ｒ，６Ｇ、
がそれぞれ１つの画素（１ｐｉｘｅｌ）を構成するものである。
【００５５】
この場合、前記走査電極９ａに沿った方向に配置された画素の数をＸとし、前記情報電極９ｂに沿った方向に配置された画素の数をＹとした場合に、前記Ｘ、Ｙ及びｎの値が、
【００５６】
【式３】
0003542504.tif 000002
なる関係を満たす、ようにすると好ましい。
【００５７】
また、前記ｎの値が、
【００５８】
【式４】
0003542504.tif 000003
である、ようにしてもよい。
【００５９】
さらに、液晶３が、強誘電性状態を示す液晶であるようにすると好ましい。
【００６０】
一方、図１４乃至図１６及び図２４に示すように、
＊  隣接される３列の内の第１列を、第１色及び第２色のサブ画素を交互に配置して構成し、
＊  第３色のサブ画素を複数配置して第２列を構成し、
＊  第１色及び第２色のサブ画素を交互に配置して第３列を構成し、かつ、
＊  前記第１列における第１色及び第２色のサブ画素と前記第２列における第３色のサブ画素、並びに前記第２列における第３色のサブ画素と前記第３列における第１色及び第２色のサブ画素、とによってそれぞれ１つの画素を構成する、ようにしてもよい。
【００６１】
この場合、図１４に示すように、前記第１色が緑色で、前記第２色が青色で、前記第３色が赤色である、ようにしても良い。また、図２４に示すように、前記第１色が青色で前記第２色が緑色で前記第３色が赤色であるようにしてもよい。さらに、図１５に示すように、前記第１色が緑色で、前記第２色が赤色で、前記第３色が青色である、ようにしてもよい。またさらに、図１６に示すように、前記第１色が青色で、前記第２色が赤色で、前記第３色が緑色である、ようにしてもよい。
【００６２】
また一方、図１７に示すように、
＊  隣接される３列の内の第１列を、第１色及び第２色のサブ画素を交互に配置して構成し、
＊  第２色及び第３色のサブ画素を交互に配置して第２列を構成し、
＊  第３色及び第１色のサブ画素を交互に配置して第３列を構成し、かつ、
＊  前記第１列における第１色及び第２色のサブ画素と前記第２列における第３色のサブ画素とによって１つの画素を構成し、
＊  前記第２列における第２色のサブ画素と前記第３列における第３色及び第１色のサブ画素とによって１つの画素を構成する、
ようにしてもよい。かかる場合、前記第１色が緑色で、前記第２色が赤色で、前記第３色が青色である、ようにしてもよい。
【００６３】
また一方、図１８に示すように、
＊  第１色乃至第３色のサブ画素を順に配置して第１列を構成し、
＊  第１色のサブ画素が前記第１列における第３色のサブ画素に隣接するように第１色乃至第３色のサブ画素を順に配置して第２列を構成し、
＊  第１色のサブ画素が前記第２列における第３色のサブ画素に隣接するように第１色乃至第３色のサブ画素を順に配置して第３列を構成し、かつ、
＊  前記第１列における（２ｉ−１）番目及び（２ｉ）番目のサブ画素と前記第２列における（２ｉ）番目のサブ画素、並びに前記第２列における（２ｉ−１）番目のサブ画素と前記第３列における（２ｉ−１）番目及び（２ｉ）番目のサブ画素、とによってそれぞれ１つの画素を構成する（但し、ｉは自然数）、ようにしてもよい。この場合、前記第１色が緑色で、前記第２色が赤色で、前記第３色が青色である、ようにしてもよい。
【００６４】
なお、前記第１色乃至第３色のサブ画素Ｒ，Ｇ，Ｂが、ほぼ同じ面積に形成され、かつ、ほぼ等間隔に配置された、ようにすると良い。
【００６５】
次に、本実施の形態の効果について説明する。
【００６６】
本実施の形態によれば、１＜ｎ＜ｋ（カラーフィルターの色数が３の場合には１＜ｎ＜３）の範囲でｎの値を設定しているため、画素ピッチの最小値が従来よりも小さくなり、それに伴って表示密度の上限を高めることができる。例えば、ＴＣＰ方式のドライバＩＣを用いる場合には電極ピッチの最小値は上述のように約６０μｍであるが、ｎ＝２とした場合、その２倍、すなわち、１２０μｍが画素ピッチの最小値となる。この画素ピッチから表示密度の上限を逆算すると約２１０ｄｐｉとなり、従来よりも高表示密度化が可能であることが理解できる。ベアチップ実装を行う場合においても、同様の理由によって従来よりも高表示密度化が可能となる。
【００６７】
なお、ｎの値を小さくすればする程画素ピッチ（正確には、走査電極９ａに沿って配置された画素のピッチ）は小さくなるが、情報電極９ｂに沿って配置された画素のピッチの方は逆に大きくなる。したがって、高表示密度を達成するには両画素ピッチの釣り合いを考慮してｎの値を決定する必要がある。以下、表示密度が最大となるｎの値を求める（但し、ｋ＝３とする）。
【００６８】
上述のように、情報電極９ｂの総本数を走査電極９ａに沿った方向に配置された画素の数（上述したＸ）で除した値をｎとすると、走査電極９ａの総本数を情報電極９ｂに沿った方向に配置された画素の数（上述したＹ）で除した値は（３／ｎ）となる。したがって、ドライバＩＣを配置するために必要な最小限スペースをＳ（ＴＣＰ方式のドライバＩＣを用いる場合には約６０μｍ）とすると、一方の画素ピッチ（走査電極９ａに沿って配置された画素のピッチ）はｎＳとなり、他方の画素ピッチ（情報電極９ｂに沿って配置された画素のピッチ）は（３／ｎ）Ｓとなる。したがって、走査電極９ａに沿った方向の表示密度の上限は、
【００６９】
【式５】
0003542504.tif 000004
となり、情報電極９ｂに沿った方向の表示密度の上限は、
【００７０】
【式６】
0003542504.tif 000005
となる。そして、これらが等しいことが高表示密度化の条件となるため、
【００７１】
【式７】
ｎ＝３／ｎ  より、  ｎ≒１．７
が求まる。
【００７２】
ところで、上述のように“走査電極９ａに沿って配置された画素のピッチ”と“情報電極９ｂに沿って配置された画素のピッチ”との差を小さくするために電極（走査電極又はゲート電極）の数を増やした場合には、ＳＴＮ型液晶素子においては画質の劣化を招くおそれがあり、ＴＦＴ型液晶素子にあってはゲート電極の抵抗値の低減を要する場合も出てくるが、双安定性を有する強誘電性液晶を用いた液晶素子においてはそのような弊害は無い。
【００７３】
一方、
【００７４】
【式８】
0003542504.tif 000006
を満足するようにｎの値を設定した場合には、走査電極及び情報電極の総本数を従来よりも低減でき、それに伴ってドライバＩＣの総チャンネル数を少なくでき、その分製品コスト並びに製造コストを低減できる。以下、その理由を、図１０を参照して説明する。
【００７５】
図１０は、Ｎ（走査電極９ａ及び情報電極９ｂの総本数）とｎ（情報電極９ｂの総本数を走査電極９ａに沿った方向に配置された画素の数で除した値）との関係を示す図であり、Ｎとｎとの間には、
【００７６】
【式９】
0003542504.tif 000007
なる関係が成立する（図中の実線参照）。
【００７７】
そして、従来の液晶パネルにおいてはｎ＝３であったため、電極の総本数Ｎ0 は、
【００７８】
【式１０】
Ｎ０ ＝３Ｘ＋Ｙ
であった。ここで、電極の総本数がＮ０ となるような他のｎの値を求めると、
【００７９】
【式１１】
0003542504.tif 000008
より、
【００８０】
【式１２】
0003542504.tif 000009
となる。したがって、
【００８１】
【式１３】
0003542504.tif 000010
とした場合には、電極の総本数は常にＮ０ よりも小さくなることが理解できる。
また一方、ｎの値を、
【００８２】
【式１４】
0003542504.tif 000011
とした場合には電極の総本数Ｎを最小にでき、ドライバＩＣの総チャンネル数を最小にできる。その理由を、以下に説明する。
【００８３】
走査電極及び情報電極の総本数Ｎは、
【００８４】
【式１５】
0003542504.tif 000012
で表されるが、このＮが極小値を取るためのｎを求める。
【００８５】
【式１６】
0003542504.tif 000013
より、ｎの値を、
【００８６】
【式１７】
0003542504.tif 000014
とした場合には電極の総本数Ｎを最小にできることが分かる。
【００８７】
次に、Ｘ＝１２８０個、Ｙ＝１０２４個である場合に、電極の総本数Ｎを最小にするｎの値を求める。電極の総本数Ｎは、
【００８８】
【式１８】
Ｎ＝ｎ・１２８０＋（３／ｎ）・１０２４
となり、これをｎで微分すると、
【００８９】
【式１９】
ｄＮ／ｄｎ＝０＝１２８０−３０７２／ｎ2 
となり、ｎ≒１．５５が求まる。
【００９０】
次に、電極の総本数Ｎが最小となるような（すなわち、ｎ≒１．５５となるような）サブ画素の配置を求める方法について説明する。
【００９１】
ｎ≒１．５５の場合、走査電極９ａの総本数を情報電極９ｂに沿った方向に配置された画素の数で除した値ｍは、
【００９２】
【式２０】
ｍ＝３／ｎ≒３／１．５５≒１．９４
となる。
【００９３】
ところで、いまａ×ａ個の画素（ｐｉｘｅｌ）を構成するに必要な情報電極９ｂの本数をｎ′とし、走査電極９ａの本数をｍ′（ａ，ｎ′，ｍ′は共に自然数）とすると、サブ画素の数は、
３×ａ×ａ＝ｎ′×ｍ′
となる。
【００９４】
ここで、上記ｎ，ｍは、ａ＝１としたときのｎ′，ｍ′（但し、ｎ，ｍは自然数では無い）を意味し、
３×１×１＝ｎ×ｍ
が成立する。
【００９５】
したがって、ｎ，ｍとｎ′，ｍ′との間には、
ｎ′：ｍ′＝ｎ：ｍ≒１．５５：１．９４
なる関係が成立し、このような関係を満たすような自然数ｎ′，ｍ′を求めると、
ｎ′≒３，  ｍ′≒４
となる。
【００９６】
これより、ａ＝２となり、縦２画素×横２画素からなる４画素（ｐｉｘｅｌ）を、４本の走査電極９ａと３本の情報電極９ｂとで構成したとき、電極の総本数Ｎは最小となる。
【００９７】
一方、カラーフィルター６をＲＧＢ３色のカラーフィルターとした場合には、３原色以外の色を含む場合（図１２、図１３参照）に比べて色純度に優れたカラー表示装置を得ることができる。
【００９８】
また、サブ画素Ｒ，Ｇ，Ｂの面積をほぼ同じとし、サブ画素Ｒ，Ｇ，Ｂの配置間隔をほぼ等しくした場合には、縦方向の表示密度と横方向の表示密度とはほぼ等しくなり、画像品質は良好なものとなる。
【００９９】
【実施例】
（実施例１）
本実施例においては、１つの画素（１ｐｉｘｅｌ）当たりに必要な情報電極９ｂの本数ｎを２とし、１＜ｎ＜３を満足するようにしている。また、１つの画素（１ｐｉｘｅｌ）当たりに必要な走査電極９ａの本数を３／２本としている。
【０１００】
具体的には、図５(a) に示すように、隣接される３本の走査電極（第１の走査電極９ａn 、第２の走査電極９ａn+1 、第３の走査電極９ａn+2 ）において、第１の走査電極９ａn に沿って第１色及び第２色のカラーフィルター６Ｒ，６Ｇを交互に配置し、第２の走査電極９ａn+1 に沿って第３色及び第１色のカラーフィルター６Ｂ，６Ｒを交互に配置し、第３の走査電極９ａn+2 に沿って第２色及び第３色のカラーフィルター６Ｇ，６Ｂを交互に配置している。そして、図５(b) に示すように、第１の走査電極９ａn に沿って配置された第１色及び第２色のカラーフィルター６Ｒ，６Ｇと第２の走査電極９ａn+1 に沿って配置された第３色のカラーフィルター６Ｂとによって１つの画素（１ｐｉｘｅｌ）を構成すると共に、第２の走査電極９ａn+1 に沿って配置された第１色のカラーフィルター６Ｒと第３の走査電極９ａn+2 に沿って配置された第２色及び第３色のカラーフィルター６Ｇ，６Ｂとによって１つの画素（１ｐｉｘｅｌ）を構成している。つまり、本実施例においては、４本の情報電極９ｂと３本の走査電極９ａとによって４つの画素（ｐｉｘｅｌ）を形成している。
【０１０１】
一方、液晶パネルは、対角１５インチで縦横比が４：３（縦寸法が１２インチ、横寸法が９インチ）とし、表示密度は３００ｄｐｉとした。したがって、走査電極９ａに沿った方向に配置された画素の数Ｘは１２×３００＝３６００個となり、情報電極９ｂに沿った方向に配置された画素の数Ｙは９×３００＝２７００個となって、
【０１０２】
【式２１】
0003542504.tif 000015
の関係も満足する。
【０１０３】
本実施例によれば、発明の実施の形態の箇所で詳述したように、画素ピッチの最小値を従来よりも小さくでき、表示密度の上限を高めることができる（例えば、ＴＣＰ方式のドライバＩＣを用いる場合には２１０ｄｐｉ程度に高めることができる。）。なお、両側実装を行った場合には、４２０ｄｐｉ程度に表示密度を高めることができる。
【０１０４】
また、ドライバＩＣの総チャンネル数を少なくでき、その分製品コスト並びに製造コストを低減できる。具体的には、
【０１０５】
【式２２】
0003542504.tif 000016
となり、従来の１３５００本よりも低減できる。
【０１０６】
（実施例２）
本実施例においては、１つの画素（１ｐｉｘｅｌ）当たりに必要な情報電極９ｂの本数ｎを３／２本とし、１＜ｎ＜３を満足するようにしている。また、１つの画素（１ｐｉｘｅｌ）当たりに必要な走査電極９ａの本数を２本としている。
【０１０７】
具体的には、図６(a) に示すように、第１の走査電極９ａn に沿って第１色乃至第３色のカラーフィルター６Ｒ，６Ｇ，６Ｂを順に配置し、第２の走査電極９ａn+1 に沿って第１色乃至第３色のカラーフィルター６Ｂ，６Ｒ，６Ｇを順に配置し（すなわち、６Ｒ，６Ｇ，６Ｂの順でもある）、第２の走査電極９ａn+1 に沿って配置された第３色のカラーフィルター６Ｂを、第１の走査電極９ａn に沿って配置された第１色又は第２色のカラーフィルター６Ｒ，６Ｇに隣接させている。そして、図６(b) に示すように、第１の走査電極９ａn に沿って配置された第１色及び第２色のカラーフィルター６Ｒ，６Ｇと第２の走査電極９ａn+1 に沿って配置された第３色のカラーフィルター６Ｂとによって１つの画素（１ｐｉｘｅｌ）を構成すると共に、第１の走査電極９ａn に沿って配置された第３色のカラーフィルター６Ｒと第２の走査電極９ａn+1 に沿って配置された第１色及び第２色のカラーフィルター６Ｒ，６Ｇとによって１つの画素（１ｐｉｘｅｌ）を構成させている。つまり、本実施例においては、３本の情報電極９ｂと４本の走査電極９ａとによって４つの画素（ｐｉｘｅｌ）を形成している。
【０１０８】
一方、液晶パネルは、対角１５インチで縦横比が４：３（縦寸法が１２インチ、横寸法が９インチ）とし、表示密度は３００ｄｐｉとした。したがって、走査電極９ａに沿った方向に配置された画素の数Ｘは１２×３００＝３６００個となり、情報電極９ｂに沿った方向に配置された画素の数Ｙは９×３００＝２７００個となって、
【０１０９】
【式２３】
0003542504.tif 000017
の関係も満足する。
【０１１０】
本実施例によれば、発明の実施の形態の箇所で詳述したように、画素ピッチの最小値を従来よりも小さくでき、表示密度の上限を高めることができる（例えば、ＴＣＰ方式のドライバＩＣを用いる場合には２１０ｄｐｉ程度に高めることができる。）。なお、両側実装を行った場合には、４２０ｄｐｉ程度に表示密度を高めることができる。
【０１１１】
また、ドライバＩＣの総チャンネル数を少なくでき、その分製品コスト並びに製造コストを低減できる。具体的には、
【０１１２】
【式２４】
0003542504.tif 000018
となり、従来の１３５００本よりも低減できる。
【０１１３】
さらに、本実施例においては、
【０１１４】
【式２５】
0003542504.tif 000019
であるため、電極の総本数を最小にでき、ドライバＩＣの総チャンネル数を最小にできる。
【０１１５】
（実施例３）
本実施例においては、１つの画素（１ｐｉｘｅｌ）当たりに必要な情報電極９ｂの本数ｎを２本とし、１＜ｎ＜３を満足するようにしている。また、１つの画素（１ｐｉｘｅｌ）当たりに必要な走査電極９ａの本数を２本としている。
【０１１６】
具体的には、図７(a) に示すように、第１の走査電極９ａn に沿って第１色及び第２色のカラーフィルター６Ｒ，６Ｇを交互に配置すると共に、第２の走査電極９ａn+1 に沿って第３色のカラーフィルター６Ｂを配置した。なお、第３色のカラーフィルター６Ｂは、第１色及び第２色のカラーフィルター６Ｒ，６Ｇの面積の半分とした。そして、図７(b) に示すように、これら第１色及び第２色のカラーフィルター６Ｒ，６Ｇと２つの第３色のカラーフィルター６Ｂとによって１つの画素（１ｐｉｘｅｌ）を構成するようにした。つまり、本実施例においては、４本の情報電極９ｂと４本の走査電極９ａとによって４つの画素（ｐｉｘｅｌ）を形成している。
【０１１７】
一方、液晶パネルは、対角１５インチで縦横比が４：３（縦寸法が１２インチ、横寸法が９インチ）とし、表示密度は３００ｄｐｉとした。したがって、走査電極９ａに沿った方向に配置された画素の数Ｘは１２×３００＝３６００個となり、情報電極９ｂに沿った方向に配置された画素の数Ｙは９×３００＝２７００個となって、
【０１１８】
【式２６】
0003542504.tif 000020
の関係も満足する。
【０１１９】
本実施例によれば、発明の実施の形態の箇所で詳述したように、画素ピッチの最小値を従来よりも小さくでき、表示密度の上限を高めることができる（例えば、ＴＣＰ方式のドライバＩＣを用いる場合には２１０ｄｐｉ程度に高めることができる。）。なお、両側実装を行った場合には、４２０ｄｐｉ程度に表示密度を高めることができる。
【０１２０】
また、ドライバＩＣの総チャンネル数を少なくでき、その分製品コスト並びに製造コストを低減できる。具体的には、
【０１２１】
【式２７】
0003542504.tif 000021
となり、従来の１３５００本よりも低減できる。
【０１２２】
さらに、本実施例によれば、画素（１ｐｉｘｅｌ）の形状を正方形に近いものとでき、色再現性に富む液晶パネルを得ることができる。
【０１２３】
（実施例４）
本実施例においては、カラー表示装置として図１９に示す液晶パネルＰ3 を用いた。なお、液晶パネルＰ3 は、透明な走査電極９ａを形成したガラス基板１ａと、透明な情報電極９ｂを形成したガラス基板１ｂとによって構成し、これらの電極９ａ，９ｂの表面は、不図示の配向膜によって被覆した。また、符号２０は偏光板であり、符号２１はスペーサである。
【０１２４】
次に、本実施例におけるサブ画素の配置構成について、図１４に沿って説明する。
【０１２５】
隣接される３列の内、
＊  Ｇ色（第１色）及びＢ色（第２色）のサブ画素を交互に配置して第１列を構成し、
＊  Ｒ色（第３色）のサブ画素を複数配置して第２列を構成し、
＊  Ｇ色（第１色）及びＢ色（第２色）のサブ画素を交互に配置して第３列を構成し、
＊  第１列におけるＧ色（第１色）及びＢ色（第２色）のサブ画素と第２列におけるＲ色（第３色）のサブ画素とによって１つの画素（１ｐｉｘｅｌ）を構成し、
＊  第２列におけるＲ色（第３色）のサブ画素と第３列におけるＧ色（第１色）及びＢ色（第２色）のサブ画素とによって１つの画素（１ｐｉｘｅｌ）を構成、
した。そして、このようなサブ画素配置を、３列を１組として繰り返した。
【０１２６】
本実施例においてはサブ画素を上述のように配置しているため、上記ｎの値は２となり、１＜ｎ＜ｋ＝３の関係を満足する。
【０１２７】
また、本実施例においては、サブ画素Ｒ，Ｇ，Ｂの面積はほぼ同じになるようにし、かつ、サブ画素Ｒ，Ｇ，Ｂの配置間隔は、ほぼ等間隔になるようにした。
【０１２８】
次に、本実施例の効果について説明する。
【０１２９】
本実施例によれば、サブ画素は、３原色であるＲ，Ｇ，Ｂ色にて構成されているため、３原色以外の色を含む場合（図１３参照）に比べて色純度に優れた液晶パネルを得ることができる。
【０１３０】
また、本実施例によれば、サブ画素Ｒ，Ｇ，Ｂの面積がほぼ同じで、サブ画素Ｒ，Ｇ，Ｂの配置間隔はほぼ等しいため、縦方向の表示密度と横方向の表示密度とはほぼ等しくなり、画像品質は良好なものとなる。
【０１３１】
さらに、本実施例によれば、画素ピッチの最小値を従来よりも小さくでき、表示密度の上限を高めることができる。
【０１３２】
またさらに、ドライバＩＣの総チャンネル数を少なくでき、その分製品コスト並びに製造コストを低減できる。
【０１３３】
次に、輝度ムラに関する本実施例の効果について図２０を参照して考察する。
【０１３４】
２８０ｄｐｉ程度の解像度のものにおいては、列単位の輝度（列を構成するサブ画素の輝度の総和をサブ画素の総数で除した値）にムラがあり明暗の繰り返しであっても、ほぼ等しい輝度の列が連続しない限り（例えば、明の列が連続したり、暗の列が連続しない限り）その明暗の差が肉眼で認識されてしまうことはない。これに対して、ほぼ等しい輝度の列が連続した場合であって、該連続した列の輝度と他の列の輝度との差が大きい場合には、その輝度差が色調のムラ（色線）として肉眼で認識されてしまって画像品質が劣化することとなる。
【０１３５】
ここで、図２０(a) 及び図２０(b) は、全ての色のサブ画素Ｒ，Ｇ，Ｂを点灯させた場合の各列毎の輝度とサブ画素Ｒ，Ｇ，Ｂの配置との関係を示す図であるが、図示のサブ画素配置ものでは、横列毎の輝度は明暗の繰り返し（例えば、図２０(a) は３７と１７の繰り返し、図２０(b) は２３と３０の繰り返し）であって、等しい輝度の列は連続せず、その明暗の差が肉眼で認識されてしまうことはないものの、縦列毎の輝度は、ほぼ等しい輝度の列が連続（図２０(a) では３５の輝度の列が２本連続し、図２０(b) では１５の輝度の列が２本連続）しており、他の列との輝度差が大きいため（図２０(a) の場合は３５−１０＝２５、図２０(b) の場合は５０−１５＝３５）、その輝度差が色調のムラ（色線）として肉眼で認識されてしまって画像品質が劣化することとなる。
【０１３６】
これに対して、本実施例の場合は、図２０(c) に示すように、横列毎の輝度は明暗の繰り返し（４０と１３の繰り返し）であって、等しい輝度の列は連続せず、その明暗の差が肉眼で認識されてしまうことはない。また、縦列毎の輝度にあっては、３０の輝度の列が２本連続しているものの、他の列との輝度差は３０−２０＝１０と小さく、その輝度差が肉眼で認識されてしまうことはない。したがって、本実施例によれば、縦列及び横列共に明暗の差が認識されず、画像品質が良好なものとなる。なお、Ｒ，Ｇ，Ｂの各サブ画素毎の輝度（すなわち、液晶用のカラーフィルター毎の透過率）の比は２０：５０：１０であった。
【０１３７】
次に、画像品質に関する本実施例の効果について図２１乃至図２３を参照して考察する。
【０１３８】
画像情報を表示する場合、通常は全ての画素（ｐｉｘｅｌ）を点灯させることが行われる。ここで、図２１(a) は、全ての画素（ｐｉｘｅｌ）の全てのサブ画素を点灯させて白表示を行う様子を示した図であり、図２１(b) は、全ての画素（ｐｉｘｅｌ）のＧ色のサブ画素のみを点灯させてＧ色表示を行う様子を示した図である。
【０１３９】
一方、中間調を表示する場合には、点灯させる画素（ｐｉｘｅｌ）の数を減らすことが行われる。ここで、図２０(c) は、点灯させる画素（ｐｉｘｅｌ）と点灯させない画素（ｐｉｘｅｌ）とを市松模様（チェッカーパターン）のように交互に配置して点灯させる画素（ｐｉｘｅｌ）の数を減らした様子を示した図である。
【０１４０】
本実施例によれば、図２１(a) 乃至(c) のいずれのパターンで画像表示を行う場合であっても、輝度ムラ（縞状やライン状のムラ）が発生せず、画像品質が良好に保たれる。このような効果は、擬似中間調処理を行う場合でも同様である。
【０１４１】
これに対し、図２２(a) に示すサブ画素配置のものにおいて、点灯させる画素（ｐｉｘｅｌ）と点灯させない画素（ｐｉｘｅｌ）とを市松模様（チェッカーパターン）のように交互に配置した場合には、図２２(c) に示すように、明の横列（Ｇ色のサブ画素が点灯している横列）と暗の横列（いずれのサブ画素も点灯していない横列）とが２列ずつ交互に配置される状態となり、明の横列が横縞として認識されて画像品質が悪くなるという問題がある。なお、図２２(b) は、全ての画素（ｐｉｘｅｌ）のＧ色のサブ画素のみを点灯させてＧ色表示を行う様子を示した図である。
【０１４２】
一方、図２３(a) に示すサブ画素配置のものにおいて、点灯させる画素（ｐｉｘｅｌ）と点灯させない画素（ｐｉｘｅｌ）とを市松模様（チェッカーパターン）のように交互に配置した場合には、図２３(b) に示すように、明の横列（Ｇ色のサブ画素が点灯している横列）が６列中に２列しか存在しない部分Ｄ（粗）と、明の横列が６列中に４列も存在する部分Ｌ（密）とが交互に配置される状態となり、明の部分Ｌが横縞として認識されて画像品質が悪くなるという問題がある。
【０１４３】
（実施例５）
本実施例においては、図１５に示すように、隣接される３列の内、
＊  Ｇ色（第１色）及びＲ色（第２色）のサブ画素を交互に配置して第１列を構成し、
＊  Ｂ色（第３色）のサブ画素を複数配置して第２列を構成し、
＊  Ｇ色（第１色）及びＲ色（第２色）のサブ画素を交互に配置して第３列を構成し、
＊  第１列におけるＧ色（第１色）及びＲ色（第２色）のサブ画素と第２列におけるＢ色（第３色）のサブ画素とによって１つの画素（１ｐｉｘｅｌ）を構成し、
＊  第２列におけるＢ色（第３色）のサブ画素と第３列におけるＧ色（第１色）及びＲ色（第２色）のサブ画素とによって１つの画素（１ｐｉｘｅｌ）を構成、
した。
【０１４４】
その他の構成は実施例４と同じにした。
【０１４５】
次に、本実施例の効果について説明する。
【０１４６】
本実施例によれば、実施例４と同様に、色純度に優れ、縦横の表示密度が等しくて画像品質に優れた液晶パネルを得ることができる。また、画素ピッチの最小値を従来よりも小さくして、表示密度の上限を高めることができる。さらに、ドライバＩＣの総チャンネル数を少なくでき、その分製品コスト並びに製造コストを低減できる。
【０１４７】
また、点灯させる画素（ｐｉｘｅｌ）と点灯させない画素（ｐｉｘｅｌ）とを市松模様（チェッカーパターン）のように交互に配置して中間調を表示する場合においても、輝度ムラ（縞状やライン状のムラ）が発生せず、画像品質が良好に保たれる。
【０１４８】
（実施例６）
本実施例においては、図１６に示すように、隣接される３列の内、
＊  Ｂ色（第１色）及びＲ色（第２色）のサブ画素を交互に配置して第１列を構成し、
＊  Ｇ色（第３色）のサブ画素を複数配置して第２列を構成し、
＊  Ｂ色（第１色）及びＲ色（第２色）のサブ画素を交互に配置して第３列を構成し、
＊  第１列におけるＢ色（第１色）及びＲ色（第２色）のサブ画素と第２列におけるＧ色（第３色）のサブ画素とによって１つの画素（１ｐｉｘｅｌ）を構成し、
＊  第２列におけるＧ色（第３色）のサブ画素と第３列におけるＢ色（第１色）及びＲ色（第２色）のサブ画素とによって１つの画素（１ｐｉｘｅｌ）を構成、
した。
【０１４９】
その他の構成は実施例４と同じにした。
【０１５０】
次に、本実施例の効果について説明する。
【０１５１】
本実施例によれば、実施例４と同様に、色純度に優れ、縦横の表示密度が等しくて画像品質に優れた液晶パネルを得ることができる。また、画素ピッチの最小値を従来よりも小さくして、表示密度の上限を高めることができる。さらに、ドライバＩＣの総チャンネル数を少なくでき、その分製品コスト並びに製造コストを低減できる。
【０１５２】
また、点灯させる画素（ｐｉｘｅｌ）と点灯させない画素（ｐｉｘｅｌ）とを市松模様（チェッカーパターン）のように交互に配置して中間調を表示する場合においても、輝度ムラ（縞状やライン状のムラ）が発生せず、画像品質が良好に保たれる。
【０１５３】
（実施例７）
本実施例においては、図１７に示すように、隣接される３列の内、
＊  Ｇ色（第１色）及びＲ色（第２色）のサブ画素を交互に配置して第１列を構成し、
＊  Ｒ色（第２色）及びＢ色（第３色）のサブ画素を交互に配置して第２列を構成し、
＊  Ｂ色（第３色）及びＧ色（第１色）のサブ画素を交互に配置して第３列を構成し、
＊  第１列におけるＧ色（第１色）及びＲ色（第２色）のサブ画素と第２列におけるＢ色（第３色）によって１つの画素（１ｐｉｘｅｌ）を構成し、
＊  第２列におけるＲ色（第２色）のサブ画素と第３列におけるＢ色（第３色）及びＧ色（第１色）のサブ画素とによって１つの画素（１ｐｉｘｅｌ）を構成、
した。
【０１５４】
その他の構成は実施例４と同じにした。
【０１５５】
次に、本実施例の効果について説明する。
【０１５６】
本実施例によれば、実施例４と同様に、色純度に優れ、縦横の表示密度が等しくて画像品質に優れた液晶パネルを得ることができる。また、画素ピッチの最小値を従来よりも小さくして、表示密度の上限を高めることができる。さらに、ドライバＩＣの総チャンネル数を少なくでき、その分製品コスト並びに製造コストを低減できる。
【０１５７】
（実施例８）
本実施例においては、図１８に示すように、
＊  Ｇ色（第１色）、Ｒ色（第２色）及びＢ色（第３色）のサブ画素を順に配置して第１列を構成し、
＊  Ｇ色（第１色）のサブ画素が第１列におけるＢ色（第３色）のサブ画素に隣接するようにＧ色（第１色）、Ｒ色（第２色）及びＢ色（第３色）のサブ画素を順に配置して第２列を構成し、
＊  Ｇ色（第１色）のサブ画素が第２列におけるＢ色（第３色）のサブ画素に隣接するようにＧ色（第１色）、Ｒ色（第２色）及びＢ色（第３色）のサブ画素を順に配置して第３列を構成し、
＊  第１列における（２ｉ−１）番目及び（２ｉ）番目のサブ画素と第２列における（２ｉ）番目のサブ画素とによって１つの画素を構成し、
＊  第２列における（２ｉ−１）番目のサブ画素と第３列における（２ｉ−１）番目及び（２ｉ）番目のサブ画素とによって１つの画素を構成
した（但し、ｉは自然数）。
【０１５８】
その他の構成は実施例４と同じにした。
【０１５９】
次に、本実施例の効果について説明する。
【０１６０】
本実施例によれば、実施例４と同様に、色純度に優れ、縦横の表示密度が等しくて画像品質に優れた液晶パネルを得ることができる。また、画素ピッチの最小値を従来よりも小さくして、表示密度の上限を高めることができる。さらに、ドライバＩＣの総チャンネル数を少なくでき、その分製品コスト並びに製造コストを低減できる。
【０１６１】
【発明の効果】
以上説明したように、本発明によると、画素ピッチの最小値が従来よりも小さくなり、それに伴って表示密度の上限を高めることができる。
【０１６３】
ところで、上述のように“走査電極に沿って配置された画素のピッチ”と“情報電極に沿って配置された画素のピッチ”との差を小さくするために電極（走査電極又はゲート電極）の数を増やした場合には、ＳＴＮ型液晶素子においては画質の劣化を招くおそれがあり、ＴＦＴ型液晶素子にあってはゲート電極の抵抗値の低減を要する場合も出てくる。しかし、前記液晶を、強誘電性状態を示す液晶にした場合には、そのような弊害は無い。
【図面の簡単な説明】
【図１】従来の液晶パネルの構造の一例を示す断面図。
【図２】(a) は、サブ画素、走査電極並びに情報電極の配置状態を示す模式図、(b) はサブ画素と画素との関係を示す模式図。
【図３】視覚解像度（輪郭をトレースする能力）を示す図。
【図４】本発明に係る液晶パネルの構造の一例を示す断面図。
【図５】(a) は、本発明におけるサブ画素、走査電極並びに情報電極の配置状態の一例を示す模式図、(b) はサブ画素と画素との関係を示す模式図。
【図６】(a) は、本発明におけるサブ画素、走査電極並びに情報電極の配置状態の他の例を示す模式図、(b) はサブ画素と画素との関係を示す模式図。
【図７】(a) は、本発明におけるサブ画素、走査電極並びに情報電極の配置状態のさらに他の例を示す模式図、(b) はサブ画素と画素との関係を示す模式図。
【図８】(a) は、本発明におけるサブ画素、走査電極並びに情報電極の配置状態の他の例を示す模式図、(b) はサブ画素と画素との関係を示す模式図。
【図９】(a) は、本発明におけるサブ画素、走査電極並びに情報電極の配置状態の他の例を示す模式図、(b) はサブ画素と画素との関係を示す模式図。
【図１０】走査電極及び情報電極の総本数Ｎと、情報電極の総本数を走査電極に沿った方向に配置された画素の数で除した値ｎとの関係を示す図。
【図１１】従来のサブ画素配置の一例を示す模式図。
【図１２】従来のサブ画素配置の他の例を示す模式図。
【図１３】従来のサブ画素配置の他の例を示す模式図。
【図１４】本発明が適用されるサブ画素配置の一例を示す模式図。
【図１５】本発明が適用されるサブ画素配置の一例を示す模式図。
【図１６】本発明が適用されるサブ画素配置の一例を示す模式図。
【図１７】本発明が適用されるサブ画素配置の一例を示す模式図。
【図１８】本発明が適用されるサブ画素配置の一例を示す模式図。
【図１９】本発明に係るカラー表示装置の構造の一例を示す模式図。
【図２０】本発明の効果を説明するための図。
【図２１】本発明の効果を説明するための図。
【図２２】本発明の効果を説明するための図。
【図２３】本発明の効果を説明するための図。
【図２４】本発明が適用される画素配置の一例を示す模式図。
【図２５】本発明のカラー表示装置の一実施の形態の構成を模式的に示す平面図。
【図２６】本発明に係るカラー表示装置の一画素の構成例を模式的に示す断面図。
【符号の説明】
１ａ，１ｂ      基板（基材）
３              液晶
９ａ            走査電極
９ｂ            情報電極
６              カラーフィルター
Ｐ2             液晶パネル（カラー表示装置）
【図１】
0003542504.tif 000022
【図２】
0003542504.tif 000023
【図３】
0003542504.tif 000024
【図４】
0003542504.tif 000025
【図５】
0003542504.tif 000026
【図６】
0003542504.tif 000027
【図７】
0003542504.tif 000028
【図８】
0003542504.tif 000029
【図９】
0003542504.tif 000030
【図１０】
0003542504.tif 000031
【図１１】
0003542504.tif 000032
【図１２】
0003542504.tif 000033
【図１３】
0003542504.tif 000034
【図１４】
0003542504.tif 000035
【図１５】
0003542504.tif 000036
【図１６】
0003542504.tif 000037
【図１７】
0003542504.tif 000038
【図１８】
0003542504.tif 000039
【図１９】
0003542504.tif 000040
【図２０】
0003542504.tif 000041
【図２１】
0003542504.tif 000042
【図２２】
0003542504.tif 000043
【図２３】
0003542504.tif 000044
【図２４】
0003542504.tif 000045
【図２５】
0003542504.tif 000046
【図２６】
0003542504.tif 000047